(57)【特許請求の範囲】
【請求項１】
受信電波をダウンコンバートした中間周波信号により伝送されたベースバンド信号を受信して無線周波チャンネルを捕捉する同期捕捉回路であって、
所定の周波数範囲にある中間周波信号により伝送されたベースバンド信号を受信して所定のフレーム同期パターンを検出する第１のパターン検出手段と、
前記第１のパターン検出手段がフレーム同期パターンを検出可能なベースバンド信号を伝送する中間周波信号の周波数範囲よりも、高周波の周波数範囲にある中間周波信号により伝送されたベースバンド信号を受信して、所定のフレーム同期パターンを検出する第２のパターン検出手段と、
前記第１のパターン検出手段がフレーム同期を検出可能なベースバンド信号を伝送する中間周波信号の周波数範囲よりも、低周波の周波数範囲にある中間周波信号により伝送されたベースバンド信号を受信して、所定のフレーム同期パターンを検出する第３のパターン検出手段と、
前記第１乃至第３のパターン検出手段のいずれかがフレーム同期パターンを検出すると、フレーム同期を確立してベースバンド信号に含まれる周波数誤差を除去するためのキャリアを再生するキャリア再生手段とを備える、
ことを特徴とする同期捕捉回路。
【請求項２】
各前記第１乃至第３のパターン検出手段は、それぞれ、
受信したベースバンド信号の位相を特定して、特定した位相に対応したディジタル信号に変換する信号変換手段と、
前記信号変換手段の変換により生成されたディジタル信号に所定のフレーム同期パターンが含まれているか否かを判別する信号判別手段とを備える、
ことを特徴とする請求項１に記載の同期捕捉回路。
【請求項３】
前記信号変換手段は、
ベースバンド信号の位相に対応したディジタル信号に変換する際にディジタル信号の値を特定する基準となる判定基準境界線の位相が、それぞれφ＝４５°×ｎ（ｎは０〜７の整数）だけ回転した位相平面上でベースバンド信号の位相を特定してディジタル信号に変換する８つのデマッピング手段を備え、
前記信号判別手段は、
前記８つのデマッピング手段それぞれの変換により生成された各ディジタル信号系列に所定のフレーム同期パターンが含まれているか否かを判別する８つの系列判別手段と、
前記８つの系列判別手段のうちの少なくとも１つによりディジタル信号系列に所定のフレーム同期パターンが含まれていると判別されると、フレーム同期パターンが検出されたことを前記キャリア再生手段に通知する手段とを備える、
ことを特徴とする請求項２に記載の同期捕捉回路。
【請求項４】
各前記第１乃至第３のパターン検出手段は、それぞれ、
ベースバンド信号の位相を回転させるための波形データを生成する波形データ作成手段と、
前記波形データ作成手段により作成された波形データと受信したベースバンド信号との複素演算を実行することによりベースバンド信号の位相を回転させる複素演算実行手段とを備え、
前記キャリア再生手段は、
前記第１乃至第３のパターン検出手段のうちのいずれがフレーム同期パターンを検出したかを特定する特定手段と、
前記第１乃至第３のパターン検出手段のうち、前記特定手段により特定されたものが備える前記複素演算実行手段が位相を回転させたベースバンド信号を選択する信号選択手段と、
前記信号選択手段により選択されたベースバンド信号の位相と絶対位相とを比較して位相誤差を特定する位相誤差特定手段と、
前記位相誤差特定手段により特定された位相誤差に基づいてベースバンド信号に含まれる周波数誤差を特定する周波数誤差特定手段と、
前記位相誤差特定手段により特定された位相誤差と前記周波数誤差特定手段により特定された周波数誤差に基づいて、前記第１乃至第３のパターン検出手段のうち、前記特定手段により特定されたものが備える前記波形データ作成手段を制御して、ベースバンド信号に含まれる位相誤差と周波数誤差を除去するためのキャリアを再生する手段とを備える、
ことを特徴とする請求項１、２又は３に記載の同期捕捉回路。
【請求項５】
受信電波を周波数変換して得られた中間周波信号により伝送されたベースバンド信号を受信してＢＳディジタル放送における無線周波チャンネルを捕捉する同期捕捉回路であって、
無線周波チャンネルを捕捉するための中間周波信号の周波数範囲全体に対応した周波数誤差を含むベースバンド信号を受信し、周波数誤差の範囲に応じたディジタル信号への変換を行ってフレーム同期パターンを検出し、フレーム同期パターンを検出したベースバンド信号に含まれる周波数誤差の範囲に基づいて、ベースバンド信号の周波数に同期するキャリアを再生してフレーム同期を確立する、
ことを特徴とする同期捕捉回路。
【請求項６】
受信信号をダウンコンバートした中間周波信号により伝送されたベースバンド信号を受信して無線周波チャンネルを捕捉する同期捕捉回路であって、
シンボル単位で位相変調された受信ベースバンド信号の位相を特定して、特定した位相に対応するディジタル信号に変換する信号変換手段と、
前記信号変換手段の変換により生成されたディジタル信号に基づいて、前記無線周波チャンネルに割り当てられる帯域の中心周波数が、中間周波信号の所定の周波数範囲内にある中間周波信号の周波数に対応する場合に、ベースバンド信号により伝送される所定のフレーム同期パターンを検出する第１のパターン検出手段と、
前記信号変換手段の変換により生成されたディジタル信号に基づいて、前記無線周波チャンネルに割り当てられる帯域の中心周波数が、前記第１のパターン検出手段によりフレーム同期パターンを検出可能な中間周波信号の周波数範囲よりも、高周波の周波数範囲内にある中間周波信号の周波数に対応する場合に、ベースバンド信号により伝送される所定のフレーム同期パターンを検出する第２のパターン検出手段と、
前記信号変換手段の変換により生成されたディジタル信号に基づいて、前記無線周波チャンネルに割り当てられる帯域の中心周波数が、前記第２のパターン検出手段によりフレーム同期パターンを検出可能な中間周波信号の周波数範囲よりも、さらに高周波の周波数範囲内にある中間周波信号の周波数に対応する場合に、ベースバンド信号により伝送される所定のフレーム同期パターンを検出する第３のパターン検出手段と、
前記信号変換手段の変換により生成されたディジタル信号に基づいて、前記無線周波チャンネルに割り当てられる帯域の中心周波数が、前記第１のパターン検出手段によりフレーム同期パターンを検出可能な中間周波信号の周波数範囲よりも、低周波の周波数範囲内にある中間周波信号の周波数に対応する場合に、ベースバンド信号により伝送される所定のフレームパターンを検出する第４のパターン検出手段と、
前記信号変換手段の変換により生成されたディジタル信号に基づいて、前記無線周波チャンネルに割り当てられる帯域の中心周波数が、前記第４のパターン検出手段によりフレーム同期パターンを検出可能な中間周波信号の周波数範囲よりも、さらに低周波の周波数範囲内にある中間周波信号の周波数に対応する場合に、ベースバンド信号により伝送される所定のフレームパターンを検出する第５のパターン検出手段と、
前記第１乃至第５のパターン検出手段のいずれかがフレーム同期パターンを検出すると、ベースバンド信号に含まれる周波数誤差に対応したオフセット周波数だけベースバンド信号の周波数を変換して前記信号変換手段に位相を特定させることにより、前記第１のパターン検出手段にフレーム同期パターンを検出させてフレーム同期を確立する周波数制御手段とを備える、
ことを特徴とする同期捕捉回路。
【請求項７】
前記信号変換手段は、
ベースバンド信号の位相に対応したディジタル信号に変換する際にディジタル信号の値を特定する基準となる判定基準境界線の位相が、それぞれφ＝４５°×ｎ（ｎは０〜７の整数）だけ回転した位相平面上でベースバンド信号の位相を特定してディジタル信号に変換する８つのデマッピング手段を備え、
前記第１のパターン検出手段は、
前記８つのデマッピング手段それぞれの変換により生成された各ディジタル信号系列に所定のフレーム同期パターンが含まれているか否かを判別する８つの系列判別手段と、
前記８つの系列判別手段のうちの少なくとも１つにより所定のフレーム同期パターンが含まれていると判別されると、フレーム同期パターンが検出されたことを前記周波数制御手段に通知する手段とを備え、
前記第２及び第４のパターン検出手段は、
それぞれが前記８つのデマッピング手段の変換により生成された各ディジタル信号系列のうち３つを用いて所定のフレーム同期パターンが含まれているか否かを判別する８つの第１の回転系列判別手段を備え、
前記第３及び第５のパターン検出手段は、
それぞれが前記８つのデマッピング手段の変換により生成された各ディジタル信号系列のうち４つを用いて所定のフレーム同期パターンが含まれているか否かを判別する８つの第２の回転系列判別手段を備える、
ことを特徴とする請求項６に記載の同期捕捉回路。
【請求項８】
前記第１及び第２の回転系列判別手段は、
ディジタル信号系列をビット毎に遅延させる遅延手段と、
前記遅延手段から、受信時刻の経過に従って判定基準境界線の位相が同一方向に回転するようにディジタル信号系列を抽出して所定のフレーム同期パターンが含まれているか否かを判別する手段を備える、
ことを特徴とする請求項７に記載の同期捕捉回路。
【請求項９】
前記第２のパターン検出手段が備える前記第１の回転系列判別手段と前記第４のパターン検出手段が備える前記第１の回転系列判別手段は、受信時刻の経過に従って判定基準境界線の位相が回転する方向が、互いに逆となるように前記遅延手段からディジタル信号系列を抽出し、
前記第３のパターン検出手段が備える前記第２の回転系列判別手段と前記第５のパターン検出手段が備える前記第２の回転系列判別手段は、受信時刻の経過に従って判定基準境界線の位相が回転する方向が、互いに逆となるように前記遅延手段からディジタル信号系列を抽出する、
ことを特徴とする請求項８に記載の同期捕捉回路。
【請求項１０】
前記周波数制御手段は、
ベースバンド信号の位相を回転させるための波形データを生成する波形データ作成手段と、
前記波形データ作成手段により作成された波形データと受信したベースバンド信号との複素演算を実行することによりベースバンド信号の位相を回転させる複素演算実行手段と、
前記複素演算実行手段により位相が回転させられたベースバンド信号の位相と絶対位相とを比較して位相誤差を特定する位相誤差特定手段と、
前記位相誤差特定手段により特定された位相誤差に基づいてベースバンド信号に含まれる周波数誤差を特定する周波数誤差特定手段と、
前記位相誤差特定手段により特定された位相誤差と前記周波数誤差特定手段により特定された周波数誤差に基づいて、前記波形データ作成手段を制御して、ベースバンド信号に含まれる位相誤差と周波数誤差を除去するためのキャリアを再生する手段とを備える、
ことを特徴とする請求項６乃至９のいずれか１項に記載の同期捕捉回路。
【請求項１１】
受信電波をダウンコンバートした中間周波信号により伝送されたベースバンド信号を受信して無線周波チャンネルを捕捉するための同期捕捉方法であって、
所定の周波数範囲にある中間周波信号により伝送されるベースバンド信号を受信して所定のフレーム同期パターンを検出する第１のパターン検出ステップと、前記第１のパターン検出ステップにてフレーム同期パターンを検出可能なベースバンド信号を伝送する中間周波信号の周波数範囲よりも、高周波の周波数範囲にある中間周波信号により伝送されたベースバンド信号を前記第１のパターン検出ステップと同時に受信して、所定のフレーム同期パターンを検出する第２のパターン検出ステップと、
前記第１のパターン検出ステップにてフレーム同期パターンを検出可能なベースバンド信号を伝送する中間周波信号の周波数範囲よりも、低周波の周波数範囲にある中間周波信号により伝送されたベースバンド信号を前記第１及び第２のパターン検出ステップと同時に受信して、所定のフレーム同期パターンを検出する第３のパターン検出ステップと、
前記第１乃至第３のパターン検出ステップのいずれかにおいてフレーム同期パターンを検出すると、フレーム同期を確立してベースバンド信号に含まれる周波数誤差を除去するためのキャリアを再生するキャリア再生ステップとを備える、
ことを特徴とする同期捕捉方法。
【発明の詳細な説明】
【０００１】
【発明の属する技術分野】
この発明は、ＲＦチャンネルを捕捉するための同期捕捉回路に係り、特に、短時間でＲＦチャンネルを捕捉することができる同期捕捉回路に関する。
【０００２】
【従来の技術】
ＢＳ（Ｂｒｏａｄｃａｓｔｉｎｇ  Ｓａｔｅｌｌｉｔｅ）ディジタル放送を受信する際に所定の周波数のＲＦ（Ｒａｄｉｏ  Ｆｒｅｑｕｅｎｃｙ）チャンネルを捕捉するために同期を確立する同期捕捉回路として、図１５に示すようなものがある。
【０００３】
ＢＳディジタル放送は、種々のディジタル変調方式を時間分割して多重化したフレーム構成でディジタル信号を伝送することとしており、ＲＦチャンネルを捕捉するためには、フレーム同期パターンを検出して同期を確立する必要がある。このフレーム同期パターンは、ＢＰＳＫ変調方式により伝送される２０シンボルのディジタル信号で構成され、図１５に示すような同期捕捉回路は、ＢＰＳＫデマッパ７３によりディジタル信号を復元し、フレーム同期パターン検出回路７４により所定のフレーム同期パターンを検出する。
【０００４】
ＢＰＳＫデマッパ７３は、ベースバンド信号の同相（Ｉ：Ｉｎ−ｐｈａｓｅ）成分と直交（Ｑ：Ｑｕａｄｒａｔｕｒｅ−Ｐｈａｓｅ）成分に基づいてＩ−Ｑベクトル平面上での信号点位置を特定し、その信号点位置から求められる位相によりディジタル信号の値（０又は１）を特定する。
例えば、ＢＰＳＫデマッパ７３は、図１６に示すようなＩ−Ｑベクトル平面において、信号点が斜線部にあればディジタル信号の値を”１”とし、信号点が白地部にあれば”０”とする。すなわち、ＢＰＳＫデマッパ７３は、受信信号の位相を示す信号点がＩ−Ｑベクトル平面上のＢＰＳＫ判定基準境界線ＢＬにより分けられる２つの領域のいずれに存在するかにより、伝送されたディジタル信号の値を特定する。
【０００５】
ここで、ＢＳディジタル放送を受信する際には、まず、受信電波をＯＤＵ（ＯｕｔＤｏｏｒ  Ｕｎｉｔ）にて中間周波信号であるＢＳ−ＩＦ（Ｂｒｏａｄｃａｓｔｉｎｇ  Ｓａｔｅｌｌｉｔｅ−Ｉｎｔｅｒｍｅｄｉａｔｅ  Ｆｒｅｑｕｅｎｃｙ）信号にダウンコンバートする。
そして、このＢＳ−ＩＦ信号を所定の周波数に固定された局部発振信号を用いて準同期検波することにより、ベースバンド信号を得る。
準同期検波を行う際に用いられる局部発振信号は、所定の周波数に固定されていることから、ＯＤＵにてダウンコンバートする際に生じた周波数誤差は、ＢＳ−ＩＦ信号に現れると共に、ベースバンド信号にも現れることとなる。
【０００６】
また、このような同期捕捉回路では、フレーム同期パターンを検出する際、キャリア（搬送波）を再生するための周波数同期が行われない。
このため、フレーム同期パターンを検出する際には、ＢＰＳＫデマッパ７３がベースバンド信号から特定するＩ−Ｑベクトル平面上の信号点は、周波数誤差により、シンボル毎にＩ−Ｑベクトル平面上を回転方向に移動する。つまり、受信信号位相角が変化して位相回転が生じる。
【０００７】
すなわち、例えば、送信側でビット”１”を割り当てた信号点の位置は、受信側では、２０ビットのフレーム同期パターンを示すシンボルを受信する間に、図１７に示すようなＩ−Ｑベクトル平面上を回転方向に移動していく。
【０００８】
こうした周波数誤差を含んだベースバンド信号から正しくフレーム同期パターンを検出するためには、送信側にて所定のディジタル信号の値（”０”又は”１”）を割り当てた信号点が、受信側でフレーム同期パターンを構成するシンボルを受信する間に、Ｉ−Ｑベクトル平面上のＢＰＳＫ判定基準境界線ＢＬを跨がないようにしなければならない。
【０００９】
ここで、送信側で所定のディジタル信号の値（”０”又は”１”）を割り当てた信号点が、受信側でＩ−Ｑベクトル平面上のＢＰＳＫ判定基準境界線ＢＬを跨いでしまうと、ＢＰＳＫデマッパ７３は、それ以後、反転したディジタル信号の値に変換する。従って、フレーム同期パターンを正しく検出することができない。
【００１０】
【発明が解決しようとする課題】
上記従来の同期捕捉回路では、ＢＰＳＫ判定基準境界線ＢＬが固定された１つのＩ−Ｑベクトル平面上で信号点の位置を特定し、ディジタル信号に変換している。
【００１１】
この点、ＢＳディジタル放送の伝送方式に対応するため、ＢＰＳＫ判定基準境界線ＢＬの位置が異なる（位相が回転した）複数のＢＰＳＫデマッパを設けて、ベースバンド信号に位相誤差が生じてもフレーム同期パターンを正しく検出できるようにした同期捕捉回路がある。
【００１２】
しかし、このような同期捕捉回路でも、各ＢＰＳＫデマッパでは、ＢＰＳＫ判定基準境界線ＢＬを固定した１つのＩ−Ｑベクトル平面上で信号点の位置を特定してディジタル信号に変換することから、ベースバンド信号に含まれる周波数誤差が所定の値より大きくなる場合には、フレーム同期パターンを正しく検出することができなかった。
【００１３】
ここで、ＢＰＳＫ判定基準境界線ＢＬを固定した場合、送信側で所定のディジタル信号の値（０又は１）を割り当てた信号点が、受信側でフレーム同期パターンを示すシンボルを受信する間にＢＰＳＫ判定基準境界線ＢＬを跨ぐことなく受信することができる最大の周波数誤差Δｆは、数式１により求められる。
【００１４】
【数１】
Δｆ＝（（π／Ｎ）／２π）×Ｆｓ
ここで、πは円周率を示し、Ｎはフレーム同期パターンのシンボル数を示し、Ｆｓは、シンボルレートを示す。
【００１５】
これにより、例えば、シンボルレートが２８．８６０ＭＨｚであるＢＳディジタル放送の場合、２０シンボルで構成されるフレーム同期パターンを正しく検出できるための最大の周波数誤差は、＋／−７２１．５ｋＨｚとなる。
【００１６】
一方、ＢＳディジタル放送では、１つのＲＦチャンネルを捕捉する際、ベースバンド信号に含まれる周波数誤差が＋／−２ＭＨｚとなる範囲からフレーム同期パターンを検出できなければならない。
【００１７】
このため、従来の同期捕捉回路では、ＡＦＣ回路７９の出力を調整して、ベースバンド信号に含まれる周波数誤差が０Ｈｚである場合にフレーム同期パターンを検出するためのスキャンと、周波数誤差が＋１．３ＭＨｚである場合にフレーム同期パターンを検出するためのスキャンと、周波数誤差が−１．３ＭＨｚである場合にフレーム同期パターンを検出するためのスキャンという、３通りのスキャンを順次実行する必要があった。
【００１８】
このような従来の同期捕捉回路によると、ＲＦチャンネルを捕捉するための周波数と受信側にて選局するためのローカル発振器の周波数との偏差が最大となる場合に、ベースバンド信号に含まれる周波数誤差が最大となる。
この場合には、上記３通りのスキャンを順次実行する必要があり、ＲＦチャンネルを捕捉するまでに長い時間を要していた。
【００１９】
この発明は、上記実状に鑑みてなされたものであり、短時間で同期を確立してチャンネルを捕捉することができる同期捕捉回路を提供することを目的とする。
【００２０】
【課題を解決するための手段】
上記目的を達成するため、この発明の第１の観点に係る同期捕捉回路は、
受信電波をダウンコンバートした中間周波信号により伝送されたベースバンド信号を受信して無線周波チャンネルを捕捉する回路であって、
所定の周波数範囲にある中間周波信号により伝送されたベースバンド信号を受信して所定のフレーム同期パターンを検出する第１のパターン検出手段と、
前記第１のパターン検出手段がフレーム同期パターンを検出可能なベースバンド信号を伝送する中間周波信号の周波数範囲よりも、高周波の周波数範囲にある中間周波信号により伝送されたベースバンド信号を受信して、所定のフレーム同期パターンを検出する第２のパターン検出手段と、
前記第１のパターン検出手段がフレーム同期を検出可能なベースバンド信号を伝送する中間周波信号の周波数範囲よりも、低周波の周波数範囲にある中間周波信号により伝送されたベースバンド信号を受信して、所定のフレーム同期パターンを検出する第３のパターン検出手段と、
前記第１乃至第３のパターン検出手段のいずれかがフレーム同期パターンを検出すると、フレーム同期を確立してベースバンド信号に含まれる周波数誤差を除去するためのキャリアを再生するキャリア再生手段とを備える、
ことを特徴とする。
【００２１】
この発明によれば、第１乃至第３のパターン検出手段により異なる周波数範囲にある中間周波信号により伝送されたベースバンド信号を同時に受信して、フレーム同期パターンを検出することができる。
これにより、素早くフレーム同期を確立して短時間でＲＦチャンネルを捕捉することができる。
【００２２】
各前記第１乃至第３のパターン検出手段は、それぞれ、
受信したベースバンド信号の位相を特定して、特定した位相に対応したディジタル信号に変換する信号変換手段と、
前記信号変換手段の変換により生成されたディジタル信号に所定のフレーム同期パターンが含まれているか否かを判別する信号判別手段とを備えることが望ましい。
これにより、ＢＰＳＫ変調方式等の位相変調方式により伝送されるフレーム同期パターンを検出することができる。
【００２３】
前記信号変換手段は、
ベースバンド信号の位相に対応したディジタル信号に変換する際にディジタル信号の値を特定する基準となる判定基準境界線の位相が、それぞれφ＝４５°×ｎ（ｎは０〜７の整数）だけ回転した位相平面上でベースバンド信号の位相を特定してディジタル信号に変換する８つのデマッピング手段を備え、
前記信号判別手段は、
前記８つのデマッピング手段それぞれの変換により生成された各ディジタル信号系列に所定のフレーム同期パターンが含まれているか否かを判別する８つの系列判別手段と、
前記８つの系列判別手段のうちの少なくとも１つによりディジタル信号系列に所定のフレーム同期パターンが含まれていると判別されると、フレーム同期パターンが検出されたことを前記キャリア再生手段に通知する手段とを備えることが望ましい。
これにより、階層化伝送方式といった、各種の変調方式が多重化されて情報が伝送される場合にベースバンド信号に位相誤差が生じてもフレーム同期パターンを正しく検出することができる。
【００２４】
また、各前記第１乃至第３のパターン検出手段は、それぞれ、
ベースバンド信号の位相を回転させるための波形データを生成する波形データ作成手段と、
前記波形データ作成手段により作成された波形データと受信したベースバンド信号との複素演算を実行することによりベースバンド信号の位相を回転させる複素演算実行手段とを備え、
前記キャリア再生手段は、
前記第１乃至第３のパターン検出手段のうちのいずれがフレーム同期パターンを検出したかを特定する特定手段と、
前記第１乃至第３のパターン検出手段のうち、前記特定手段により特定されたものが備える前記複素演算実行手段が位相を回転させたベースバンド信号を選択する信号選択手段と、
前記信号選択手段により選択されたベースバンド信号の位相と絶対位相とを比較して位相誤差を特定する位相誤差特定手段と、
前記位相誤差特定手段により特定された位相誤差に基づいてベースバンド信号に含まれる周波数誤差を特定する周波数誤差特定手段と、
前記位相誤差特定手段により特定された位相誤差と前記周波数誤差特定手段により特定された周波数誤差に基づいて、前記第１乃至第３のパターン検出手段のうち、前記特定手段により特定されたものが備える前記波形データ作成手段を制御して、ベースバンド信号に含まれる位相誤差と周波数誤差を除去するためのキャリアを再生する手段とを備えることが望ましい。
これにより、フレーム同期が確立した場合にベースバンド信号に含まれる位相誤差や周波数誤差を除去する位相同期や周波数同期を行うことができる。
【００２５】
また、この発明の第２の観点に係る同期捕捉回路は、
受信電波を周波数変換して得られた中間周波信号により伝送されたベースバンド信号を受信してＢＳディジタル放送における無線周波チャンネルを捕捉する回路であって、無線周波チャンネルを捕捉するための中間周波信号の周波数範囲全体に対応した周波数誤差を含むベースバンド信号を受信し、周波数誤差の範囲に応じたディジタル信号への変換を行ってフレーム同期パターンを検出し、フレーム同期パターンを検出したベースバンド信号に含まれる周波数誤差の範囲に基づいて、ベースバンド信号の周波数に同期するキャリアを再生してフレーム同期を確立する、
ことを特徴とする。
【００２６】
この発明によれば、ＢＳディジタル放送の無線周波チャンネルを捕捉するために受信したベースバンド信号に含まれる周波数誤差の範囲に応じて変換したディジタル信号からフレーム同期パターンを検出することができ、素早くフレーム同期を確立して、短時間でＲＦチャンネルを捕捉することができる。
【００２７】
また、この発明の第３の観点に係る同期捕捉回路は、
受信信号をダウンコンバートした中間周波信号により伝送されたベースバンド信号を受信して無線周波チャンネルを捕捉する同期捕捉回路であって、
シンボル単位で位相変調された受信ベースバンド信号の位相を特定して、特定した位相に対応するディジタル信号に変換する信号変換手段と、
前記信号変換手段の変換により生成されたディジタル信号に基づいて、前記無線周波チャンネルに割り当てられる帯域の中心周波数が、中間周波信号の所定の周波数範囲内にある中間周波信号の周波数に対応する場合に、ベースバンド信号により伝送される所定のフレーム同期パターンを検出する第１のパターン検出手段と、
前記信号変換手段の変換により生成されたディジタル信号に基づいて、前記無線周波チャンネルに割り当てられる帯域の中心周波数が、前記第１のパターン検出手段によりフレーム同期パターンを検出可能な中間周波信号の周波数範囲よりも、高周波の周波数範囲内にある中間周波信号の周波数に対応する場合に、ベースバンド信号により伝送される所定のフレーム同期パターンを検出する第２のパターン検出手段と、
前記信号変換手段の変換により生成されたディジタル信号に基づいて、前記無線周波チャンネルに割り当てられる帯域の中心周波数が、前記第２のパターン検出手段によりフレーム同期パターンを検出可能な中間周波信号の周波数範囲よりも、さらに高周波の周波数範囲内にある中間周波信号の周波数に対応する場合に、ベースバンド信号により伝送される所定のフレーム同期パターンを検出する第３のパターン検出手段と、
前記信号変換手段の変換により生成されたディジタル信号に基づいて、前記無線周波チャンネルに割り当てられる帯域の中心周波数が、前記第１のパターン検出手段によりフレーム同期パターンを検出可能な中間周波信号の周波数範囲よりも、低周波の周波数範囲内にある中間周波信号の周波数に対応する場合に、ベースバンド信号により伝送される所定のフレームパターンを検出する第４のパターン検出手段と、
前記信号変換手段の変換により生成されたディジタル信号に基づいて、前記無線周波チャンネルに割り当てられる帯域の中心周波数が、前記第４のパターン検出手段によりフレーム同期パターンを検出可能な中間周波信号の周波数範囲よりも、さらに低周波の周波数範囲内にある中間周波信号の周波数に対応する場合に、ベースバンド信号により伝送される所定のフレームパターンを検出する第５のパターン検出手段と、
前記第１乃至第５のパターン検出手段のいずれかがフレーム同期パターンを検出すると、ベースバンド信号に含まれる周波数誤差に対応したオフセット周波数だけベースバンド信号の周波数を変換して前記信号変換手段に位相を特定させることにより、前記第１のパターン検出手段にフレーム同期パターンを検出させてフレーム同期を確立する周波数制御手段とを備える、
ことを特徴とする。
【００２８】
この発明によれば、第１乃至第５のパターン検出手段は、それぞれ、信号変換手段の変換により生成されたディジタル信号に基づいて、無線周波チャンネルに割り当てられた帯域の中心周波数が、所定の周波数範囲にある中間周波信号の周波数に対応する場合に、フレーム同期パターンを検出することができる。
そして、フレーム同期パターンを検出すると、ベースバンド信号に含まれる周波数誤差に応じたオフセット周波数だけベースバンド信号の周波数を変更して、第１のパターン検出手段によりフレーム同期パターンを検出することができる。これにより、第１のパターン検出手段を他のパターン検出手段よりも広い帯域のベースバンド信号からフレーム同期パターンを検出することができるようにしておくことで、広い周波数範囲を素早くスキャンすると共に、安定したフレーム同期を確立することができる。
【００２９】
また、前記信号変換手段は、
ベースバンド信号の位相に対応したディジタル信号に変換する際にディジタル信号の値を特定する基準となる判定基準境界線の位相が、それぞれφ＝４５°×ｎ（ｎは０〜７の整数）だけ回転した位相平面上でベースバンド信号の位相を特定してディジタル信号に変換する８つのデマッピング手段を備え、
前記第１のパターン検出手段は、
前記８つのデマッピング手段それぞれの変換により生成された各ディジタル信号系列に所定のフレーム同期パターンが含まれているか否かを判別する８つの系列判別手段と、
前記８つの系列判別手段のうちの少なくとも１つにより所定のフレーム同期パターンが含まれていると判別されると、フレーム同期パターンが検出されたことを前記周波数制御手段に通知する手段とを備え、
前記第２及び第４のパターン検出手段は、
それぞれが前記８つのデマッピング手段の変換により生成された各ディジタル信号系列のうち３つを用いて所定のフレーム同期パターンが含まれているか否かを判別する８つの第１の回転系列判別手段を備え、
前記第３及び第５のパターン検出手段は、
それぞれが前記８つのデマッピング手段の変換により生成された各ディジタル信号系列のうち４つを用いて所定のフレーム同期パターンが含まれているか否かを判別する８つの第２の回転系列判別手段を備えることが望ましい。
【００３０】
また、前記第１及び第２の回転系列判別手段は、
ディジタル信号系列をビット毎に遅延させる遅延手段と、
前記遅延手段から、受信時刻の経過に従って判定基準境界線の位相が同一方向に回転するようにディジタル信号系列を抽出して所定のフレーム同期パターンが含まれているか否かを判別する手段を備えることが望ましい。
これにより、第２乃至第５のパターン検出手段は、それぞれ異なった周波数範囲に対応するベースバンド信号により伝送されるフレーム同期パターンを検出することができる。
【００３１】
より具体的には、前記第２のパターン検出手段が備える前記第１の回転系列判別手段と前記第４のパターン検出手段が備える前記第１の回転系列判別手段は、受信時刻の経過に従って判定基準境界線の位相が回転する方向が、互いに逆となるように前記遅延手段からディジタル信号系列を抽出し、
前記第３のパターン検出手段が備える前記第２の回転系列判別手段と前記第５のパターン検出手段が備える前記第２の回転系列判別手段は、受信時刻の経過に従って判定基準境界線の位相が回転する方向が、互いに逆となるように前記遅延手段からディジタル信号系列を抽出することが望ましい。
【００３２】
また、前記周波数制御手段は、
ベースバンド信号の位相を回転させるための波形データを生成する波形データ作成手段と、
前記波形データ作成手段により作成された波形データと受信したベースバンド信号との複素演算を実行することによりベースバンド信号の位相を回転させる複素演算実行手段と、
前記複素演算実行手段により位相が回転させられたベースバンド信号の位相と絶対位相とを比較して位相誤差を特定する位相誤差特定手段と、
前記位相誤差特定手段により特定された位相誤差に基づいてベースバンド信号に含まれる周波数誤差を特定する周波数誤差特定手段と、
前記位相誤差特定手段により特定された位相誤差と前記周波数誤差特定手段により特定された周波数誤差に基づいて、前記波形データ作成手段を制御して、ベースバンド信号に含まれる位相誤差と周波数誤差を除去するためのキャリアを再生する手段とを備える、
ことが望ましい。
【００３３】
また、この発明の第４の観点に係る同期捕捉方法は、
受信電波をダウンコンバートした中間周波信号により伝送されたベースバンド信号を受信して無線周波チャンネルを捕捉するための方法であって、
所定の周波数範囲にある中間周波信号により伝送されるベースバンド信号を受信して所定のフレーム同期パターンを検出する第１のパターン検出ステップと、前記第１のパターン検出ステップにてフレーム同期パターンを検出可能なベースバンド信号を伝送する中間周波信号の周波数範囲よりも、高周波の周波数範囲にある中間周波信号により伝送されたベースバンド信号を前記第１のパターン検出ステップと同時に受信して、所定のフレーム同期パターンを検出する第２のパターン検出ステップと、
前記第１のパターン検出ステップにてフレーム同期パターンを検出可能なベースバンド信号を伝送する中間周波信号の周波数範囲よりも、低周波の周波数範囲にある中間周波信号により伝送されたベースバンド信号を前記第１及び第２のパターン検出ステップと同時に受信して、所定のフレーム同期パターンを検出する第３のパターン検出ステップと、
前記第１乃至第３のパターン検出ステップのいずれかにおいてフレーム同期パターンを検出すると、フレーム同期を確立してベースバンド信号に含まれる周波数誤差を除去するためのキャリアを再生するキャリア再生ステップとを備える、
ことを特徴とする。
【００３４】
【発明の実施の形態】
（第１の実施の形態）
以下に、図面を参照して、この発明の第１の実施の形態に係る同期捕捉回路について詳細に説明する。
この同期捕捉回路は、ＯＤＵ（ＯｕｔＤｏｏｒ  Ｕｎｉｔ）等が受信電波をダウンコンバートすることにより得られたＢＳ−ＩＦ（Ｂｒｏａｄｃａｓｔｉｎｇ  Ｓａｔｅｌｌｉｔｅ−Ｉｎｔｅｒｍｅｄｉａｔｅ  Ｆｒｅｑｕｅｎｃｙ）信号を、直交検波器で準同期検波し、得られたベースバンド信号を量子化したものを受信して同期を確立する。
【００３５】
この同期捕捉回路に入力されるベースバンド信号は、必要とするＣ／Ｎ（Ｃａｒｒｉｅｒ−ｔｏ−Ｎｏｉｓｅ  ｒａｔｉｏ）値が異なる複数の変調方式、例えば８ＰＳＫ（Ｐｈａｓｅ  Ｓｈｉｆｔ  Ｋｅｙｉｎｇ）変調、ＱＰＳＫ（Ｑｕａｄｒａｔｕｒｅ  ＰＳＫ）変調、ＢＰＳＫ（Ｂｉｎａｒｙ  ＰＳＫ）変調が時間毎に組み合わされ、フレーム毎に繰り返し伝送される。このような伝送方式を階層化伝送方式という。
【００３６】
図１は、この階層化伝送方式のフレーム構造を示す図である。
図示するように、このフレームは、３９９３６シンボルで１フレームを形成し、１９２シンボルからなるヘッダ部１００と、複数の対として形成された２０３シンボルの主信号部１０１及び４シンボルのバーストシンボル部１０２とから構成される。
【００３７】
ヘッダ部１００は、ＢＰＳＫ変調で伝送されるフレーム同期パターン１１０と、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）データ１１１と、スーパーフレーム識別パターン１１２とを含んでいる。
【００３８】
フレーム同期パターン１１０は、３２ビットのうち所定の２０ビットを使用してフレーム同期を確立するためのビットストリームを伝送するためのものである。このフレーム同期を確立するためのビットストリームを送出する順に（Ｓ１９Ｓ１８Ｓ１７・・・Ｓ１Ｓ０）とすると、（Ｓ１９Ｓ１８Ｓ１７・・・Ｓ１Ｓ０）＝（１１１０１１００１１０１００１０１０００）である。
【００３９】
ＴＭＣＣデータ１１１は、時間分割で多重化された変調方式の多重構成を示す伝送多重構成識別データである。
【００４０】
ところで、このフレームは、８つのフレームによりスーパーフレームを構成する。そして、スーパーフレーム識別パターン１１２は、各フレームのスーパーフレーム内での位置を識別するためのパターンである。
【００４１】
主信号部１０１は、ＴＣ８ＰＳＫ（Ｔｒｅｌｌｉｓ−Ｃｏｄｅｄ  ８ＰＳＫ）やＱＰＳＫといった変調方式を用いて伝送される。また、バーストシンボル部１０２は、ＢＰＳＫを用いて伝送され、フレームごとにリセットされるＰＮ（Ｐｓｅｕｄｏ  Ｎｏｉｓｅ）信号であり、エネルギー拡散がなされている。
【００４２】
また、送信側では、各変調方式毎に以下に述べるようなマッピングが行われる。
【００４３】
図２（ａ）は、変調方式に８ＰＳＫを用いた場合の信号点配置を示す。
８ＰＳＫ変調方式は、３ビットのディジタル信号（ａｂｃ：ａ，ｂ，ｃ＝０又は１）を図２（ａ）に示すような８つの異なる位相に割り当てて伝送する方式である。
【００４４】
すなわち、この８ＰＳＫ変調方式において１シンボルを構成するビットの組み合わせは、（０００）、（００１）、（０１０）、（０１１）、（１００）、（１０１）、（１１０）、（１１１）の８通りである。そして、これら３ビットからなるディジタル信号は、図２（ａ）の送信側Ｉ−Ｑ（Ｉｎ  ｐｈａｓｅ−Ｑｕａｄｒａｔｕｒｅ）ベクトル平面上の信号点配置”０”〜”７”に変換される。この変換を８ＰＳＫマッピングと呼ぶ。
【００４５】
図２（ａ）では、一例として、ビット列（０００）を信号点配置”０”に、ビット列（００１）を信号点配置”１”に、ビット列（１０１）を信号点配置”２”に、ビット列（１００）を信号点配置”３”に、ビット列（１１０）を信号点配置”４”に、ビット列（１１１）を信号点配置”５”に、ビット列（０１１）を信号点配置”６”に、ビット列（０１０）を信号点配置”７”に変換している。
【００４６】
図２（ｂ）は、変調方式にＱＰＳＫを用いた場合の信号点配置を示す。
ＱＰＳＫ変調方式は、２ビットのディジタル信号（ｄｅ：ｄ，ｅ＝０又は１）を図２（ｂ）に示すような４つの異なる位相に割り当てて伝送する方式である。
【００４７】
すなわち、このＱＰＳＫ変調方式において１シンボルを構成するビットの組み合わせは、（００）、（０１）、（１０）、（１１）の４通りである。そして、図２（ｂ）では、一例として、ビット列（００）を信号点配置”１”に、ビット列（１０）を信号点配置”３”に、ビット列（１１）を信号点配置”５”に、ビット列（０１）を信号点配置”７”に変換する。この変換をＱＰＳＫマッピングと呼ぶ。
なお、図２（ｂ）において、信号点配置と配置番号の関係は、８ＰＳＫの場合、すなわち図２（ａ）における信号点配置と配置番号の関係と同一としている。
【００４８】
同様に、図２（ｃ）は、変調方式にＢＰＳＫを用いた場合の信号点は位置を示し、ＢＰＳＫ変調方式は、１ビットのディジタル信号（ｆ：ｆ＝０又は１）を２つの異なる位相に割り当てて伝送する。
図２（ｃ）では、一例として、ビット（０）を信号点配置”０”に、ビット（１）を信号点配置”４”に変換する。この変換をＢＰＳＫマッピングと呼ぶ。
【００４９】
このような階層化伝送方式でディジタル信号を伝送するための搬送波を受信して同期をとる同期捕捉回路は、図３に示すように、数値制御発振器１−１〜１−３と、複素演算回路２−１〜２−３と、帯域制限フィルタ３−１〜３−３と、ＢＰＳＫ（Ｂｉｎａｒｙ  Ｐｈａｓｅ  Ｓｈｉｆｔ  Ｋｅｙｉｎｇ）デマッパ４−１〜４−３と、フレーム同期パターン検出回路５−１〜５−３と、タイミング生成回路６と、セレクタ７と、位相誤差検出回路８と、周波数誤差演算回路９と、ループフィルタ１０と、ＡＦＣ（Ａｕｔｏｍａｔｉｃ  Ｆｒｅｑｕｅｎｃｙ  Ｃｏｎｔｒｏｌ）回路１１とを備えている。
【００５０】
数値制御発振器１−１〜１−３は、それぞれ正弦波データｓｉｎθ１〜ｓｉｎθ３及び余弦波データｃｏｓθ１〜ｃｏｓθ３を生成するためのものであり、ＡＦＣ回路１１から受けた位相信号θ１〜θ３に応じた正弦波形或いは余弦波形の振幅を示すディジタル信号を生成してそれぞれ複素演算回路２−１〜２−３に送る。
【００５１】
複素演算回路２−１〜２−３は、反転回路、乗算器等から構成され、量子化されたベースバンド信号の位相誤差、周波数誤差を除去するための演算を実行するためのものである。
より具体的には、複素演算回路２−１〜２−３は、それぞれ位相誤差、周波数誤差を含んだベースバンド信号の同相成分Ｉと直交成分Ｑを受ける。また、複素演算回路２−１〜２−３は、それぞれ数値制御発振器１−１〜１−３から正弦波データｓｉｎθ１〜ｓｉｎθ３及び余弦波データｃｏｓθ１〜ｃｏｓθ３を受ける。そして、複素演算回路２−１〜２−３は、正弦波データｓｉｎθ１〜ｓｉｎθ３及び余弦波データｃｏｓθ１〜ｃｏｓθ３に反転処理等を施した後、ベースバンド信号の同相成分Ｉ及び直交成分Ｑにかけあわせ、Ｉ（同相）信号ＲＩ１〜ＲＩ３とＱ（直交）信号ＲＱ１〜ＲＱ３を生成する。
複素演算回路２−１〜２−３は、それぞれ生成したＩ信号ＲＩ１〜ＲＩ３とＱ信号ＲＱ１〜ＲＱ３を帯域制限フィルタ３−１〜３−３に送る。
【００５２】
帯域制限フィルタ３−１〜３−３は、レイズドコサイン特性のディジタルロールオフフィルタ等から構成され、それぞれ複素演算回路２−１〜２−３から受けたＩ信号ＲＩ１〜ＲＩ３とＱ信号ＲＱ１〜ＲＱ３の通過帯域を制限して、符号間干渉のないデータ波形を生成するためのものである。帯域制限フィルタ３−１〜３−３は、帯域を制限したＩ信号ＤＩ１〜ＤＩ３とＱ信号ＤＱ１〜ＤＱ３を、それぞれＢＰＳＫデマッパ４−１〜４−３に送る。
また、帯域制限フィルタ３−１〜３−３は、Ｉ信号ＤＩ１〜ＤＩ３とＱ信号ＤＱ１〜ＤＱ３をセレクタ７にも送る。
【００５３】
ＢＰＳＫデマッパ４−１〜４−３は、ＢＰＳＫ変調されて伝送される２０シンボルのフレーム同期パターン１１０を検出するために、送信側にて施されるＢＰＳＫマッピングとは逆に、ベースバンド信号の信号点位置からディジタル信号を復元するためのものである。
より具体的には、ＢＰＳＫデマッパ４−１〜４−３は、それぞれ帯域制限フィルタからＩ信号ＤＩ１〜ＤＩ３とＱ信号ＤＱ１〜ＤＱ３を受けて、図４（ａ）〜（ｈ）に例示するような受信側のＩ−Ｑベクトル平面上での受信信号点を求める。ＢＰＳＫデマッパ４−１〜４−３は、Ｉ−Ｑベクトル平面上の受信信号点の位置に応じたディジタル信号（０又は１）に変換する。
ここで、各ＢＰＳＫデマッパ４−１〜４−３は、図５に示すように、それぞれ８つのＢＰＳＫデマッピング回路２０〜２７を備えている。
【００５４】
ＢＰＳＫデマッピング回路２０〜２７は、ＲＯＭ（Ｒｅａｄ  Ｏｎｌｙ  Ｍｅｍｏｒｙ）等から構成され、各ＢＰＳＫデマッピング回路２０〜２７は、図４（ａ）〜（ｈ）に示すような、ＢＰＳＫ判定基準境界線ＢＬの位相が異なる８通りのＩ−Ｑベクトル平面のうちのいずれか１つを用いてディジタル信号への変換を行う。
すなわち、ＢＰＳＫデマッピング回路２０〜２７は、送信側のＩ−Ｑベクトル平面をφ＝４５°×ｎ（ｎ＝０〜７の整数）だけ回転させた場合に対応するべくＢＰＳＫ判定基準境界線ＢＬの位相を回転させたＩ−Ｑベクトル平面上で、受信信号点を特定してディジタル信号に変換する。
【００５５】
以下では、ＢＰＳＫデマッピング回路２０が、図４（ａ）に示すＩ−Ｑベクトル平面を用いてディジタル信号への変換を行い、以下順に、ＢＰＳＫデマッピング回路２１〜２７が、それぞれ図４（ｂ）〜（ｈ）に示すＩ−Ｑベクトル平面を用いてディジタル信号への変換を行うものとする。
そして、各ＢＰＳＫデマッピング回路２０〜２７は、復元したディジタル信号のビットストリームＢ０〜Ｂ７をフレーム同期パターン検出回路５−１〜５−３に送る。
【００５６】
図３のフレーム同期パターン検出回路５−１〜５−３は、ＢＰＳＫデマッパ４−１〜４−３が復元したディジタル信号からフレーム同期パターンを検出するためのものである。各フレーム同期パターン検出回路５−１〜５−３は、この同期捕捉回路が受信したベースバンド信号に含まれる周波数誤差の大きさに応じた３つの異なる周波数範囲に対応し、ＢＰＳＫデマッパ４−１〜４−３からビットストリームＢ０〜Ｂ７を受けてフレーム同期パターン１１０を検出する。
【００５７】
すなわち、例えば、フレーム同期パターン検出回路５−１は、周波数誤差が＋１．３（ＭＨｚ）である周波数を中心とした＋／−７００ｋＨｚの周波数範囲に対応し、フレーム同期パターン検出回路５−２は、周波数誤差が０（Ｈｚ）である周波数を中心とした＋／−７００ｋＨｚの周波数範囲に対応し、フレーム同期パターン検出回路５−３は、周波数誤差が−１．３（ＭＨｚ）である周波数を中心とした＋／−７００ｋＨｚの周波数範囲に対応する。
【００５８】
フレーム同期パターン検出回路５−１〜５−３は、いずれも図６に示すような８つの同期検出回路３０〜３７と、ＯＲゲート３８とを備える。
【００５９】
同期検出回路３０〜３７は、いずれも同一の構成を有しており、図７に示すように、２０個のシフトレジスタ（遅延ラッチＤ０〜Ｄ１９）と、所定のビットに対して論理反転を施すインバータＩＮと、ＡＮＤゲートＡ１とを備えている。
【００６０】
ＡＮＤゲートＡ１は、遅延ラッチＤ０〜Ｄ１９の状態（Ｄ１９Ｄ１８Ｄ１７・・・Ｄ１Ｄ０）が（１１１０１１００１１０１００１０１０００）となる場合に高電圧を出力する。これは、フレーム同期パターン１１０のビットストリームであり、ＡＮＤゲートＡ１の出力が高電位となることにより、同期検出回路３０〜３７は、フレーム同期パターンを検出したことを示す。
ＯＲゲート３８は、同期検出回路３０〜３７のうちのいずれかがフレーム同期パターン１１０を検出したことをタイミング生成回路６に通知する。
【００６１】
図３のタイミング生成回路６は、フレーム同期パターン検出回路５−１〜５−３からフレーム同期パターン１１０を検出した旨の通知を受けてフレーム同期を確立するためのものである。
【００６２】
この際、タイミング生成回路６は、フレーム同期パターン検出回路５−１〜５−３のうちのいずれがフレーム同期パターン１１０を検出したかを判別し、判別したフレーム同期パターン検出回路５−１〜５−３に応じた選択信号をセレクタ７に送る。
【００６３】
すなわち、タイミング生成回路６は、フレーム同期パターン検出回路５−１がフレーム同期パターン１１０を検出したと判別すると、セレクタ７に帯域制限フィルタ３−１から出力されたＩ信号ＤＩ１及びＱ信号ＤＱ１を選択させる選択信号を送る。また、タイミング生成回路６は、フレーム同期パターン検出回路５−２がフレーム同期パターン１１０を検出したと判別すると、セレクタ７に帯域制限フィルタ３−２から出力されたＩ信号ＤＩ２及びＱ信号ＤＱ２を選択させる選択信号を送る。一方、タイミング生成回路６は、フレーム同期パターン検出回路５−３がフレーム同期パターン１１０を検出したと判別すると、セレクタ７に帯域制限フィルタ３−３から出力されたＩ信号ＤＩ３及びＱ信号ＤＱ３を選択させる選択信号を送る。
【００６４】
また、タイミング生成回路６は、フレーム同期を確立すると、ＴＭＣＣデータ１１１を抽出してフレーム多重構成を識別し、周波数誤差演算回路９にＴＭＣＣ区間を特定するためのＴＭＣＣ区間信号を送る。
【００６５】
さらに、タイミング生成回路６は、ＡＦＣ回路１１に切換信号を送り、数値制御発振器１−１〜１−３のうちのいずれか１つを、位相信号θ１〜θ３により制御させて、ＲＦチャンネルを捕捉するためのキャリア（搬送波）を再生させる。
【００６６】
セレクタ７は、マルチプレクサ等から構成され、タイミング生成回路６から受けた選択信号に応じて帯域制限フィルタ３−１〜３−３のうちのいずれかが出力するＩ信号ＤＩ１〜ＤＩ３及びＱ信号ＤＱ１〜ＤＱ３を選択する。セレクタ７は、選択したＩ信号ＤＩとＱ信号ＤＱを位相誤差検出回路８に入力する。
【００６７】
位相誤差検出回路８は、セレクタ７から受けたＩ信号ＤＩとＱ信号ＤＱに基づいてＩ−Ｑベクトル平面上での信号点位置を特定して、信号点位置が示す位相と絶対位相との位相誤差（受信信号位相回転角）を求めるためのものである。
位相誤差検出回路８は、求めた位相誤差に応じた位相誤差信号ＰＥＤを生成して周波数誤差演算回路９とループフィルタ１０に送る。
【００６８】
周波数誤差演算回路９は、タイミング生成回路６から受けたＴＭＣＣ区間信号によりＴＭＣＣ区間を特定して、位相誤差検出回路８から受けた位相誤差信号ＰＥＤに示されたＴＭＣＣ区間における位相誤差に基づき希望周波数と再生キャリアの周波数との差（誤差周波数）Δｆを求めるためのものである。
周波数誤差演算回路９は、求めた誤差周波数ΔｆをＡＦＣ回路１１に通知する。
【００６９】
ループフィルタ１０は、位相誤差検出回路８から受けた位相誤差信号ＰＥＤを平滑化するローパスフィルタであり、平滑化した位相誤差信号ＰＥＤを位相調整信号ＬΔｆとしてＡＦＣ回路１１に供給する。
【００７０】
ＡＦＣ回路１１は、周波数誤差演算回路９から受けた誤差周波数Δｆ及びループフィルタ１０から受けた位相調整信号ＬΔｆに応じた位相信号θ１〜θ３を生成するためのものである。
ＡＦＣ回路１１は、生成した位相信号θ１〜θ３を数値制御発振器１−１〜１−３に供給して、正弦波データｓｉｎθ１〜ｓｉｎθ３及び余弦波データｃｏｓθ１〜ｃｏｓθ３を生成させる。
【００７１】
ここで、ＡＦＣ回路１１は、位相信号θ１を、複素演算回路２−１が受信するベースバンド信号に＋１．３ＭＨｚの周波数誤差が含まれている場合に、複素演算の結果、送信側で所定のディジタル信号（０又は１）に割り当てられた信号点の位相が回転しないような値に設定する。
また、ＡＦＣ回路１１は、位相信号θ２を、複素演算回路２−２が受信するベースバンド信号に周波数誤差が含まれていない場合（周波数誤差が０ＭＨｚの場合）に、複素演算の結果、送信側で所定のディジタル信号（０又は１）に割り当てられた信号点の位相が回転しないような値に設定する。
さらに、ＡＦＣ回路１１は、位相信号θ３を、複素演算回路２−３が受信するベースバンド信号に−１．３ＭＨｚの周波数誤差が含まれている場合に、複素演算の結果、送信側で所定のディジタル信号（０又は１）に割り当てられた信号点の位相が回転しないような値に設定する。
【００７２】
以下に、この発明の第１の実施の形態に係る同期捕捉回路の動作を説明する。この同期捕捉回路は、ベースバンド信号に含まれる周波数誤差が異なる複数の周波数範囲に対応してフレーム同期パターンを検出する複数の受信系統を備えることで、ＢＳディジタル放送用のＲＦチャンネルを短時間で捕捉することができる回路である。
【００７３】
この発明の第１の実施の形態に係る同期捕捉回路において、数値制御発振器１−１〜１−３と、複素演算回路２−１〜２−３と、帯域制限フィルタ３−１〜３−３と、セレクタ７と、位相誤差検出回路８と、周波数誤差演算回路９と、ループフィルタ１０と、ＡＦＣ回路１１は、複素演算回路２−１〜２−３に入力されるベースバンド信号の同相成分Ｉと直交成分Ｑに含まれるキャリア（搬送波）の周波数誤差を除去するためのキャリア再生のループを構成している。
【００７４】
すなわち、まず、複素演算回路２−１〜２−３は、ＯＤＵ（図示せず）が受信電波をダウンコンバートしたＢＳ−ＩＦ信号を、ローカル発振器（図示せず）が生成するＢＳディジタル放送用のＲＦチャンネルに割り当てられた帯域の中心周波数に対応した周波数に固定された局部発振信号を用いて検波することにより得られたベースバンド信号の同相成分Ｉと直交成分Ｑを受ける。
ここで、ＯＤＵが受信電波をダウンコンバートする際に生じた周波数誤差は、中間周波信号であるＢＳ−ＩＦ信号に現れると共に、ベースバンド信号にも現れる。
【００７５】
複素演算回路２−１〜２−３は、それぞれ数値制御発振器１−１〜１−３から受けた正弦波データｓｉｎθ１〜ｓｉｎθ３及び余弦データｃｏｓθ１〜ｃｏｓθ３を用いて、数式２に示すような演算を実行して、ベースバンド信号の位相を回転させる。
【００７６】
【数２】
ＲＩｋ＝Ｉ×ｃｏｓθｋ−Ｑ×ｓｉｎθｋ
ＲＱｋ＝Ｉ×ｓｉｎθｋ＋Ｑ×ｃｏｓθｋ
（ｋ＝１〜３の整数）
【００７７】
ここで、ＡＦＣ回路１１は、位相信号θ１を、複素演算回路２−１が受信するベースバンド信号に＋１．３ＭＨｚの周波数誤差が含まれている場合に、複素演算の結果、送信側で所定のディジタル信号（０又は１）に割り当てられた信号点の位相が回転しないような値に設定する。
また、ＡＦＣ回路１１は、位相信号θ２を、複素演算回路２−２が受信するベースバンド信号に周波数誤差が含まれていない場合（周波数誤差が０ＭＨｚの場合）に、複素演算の結果、送信側で所定のディジタル信号（０又は１）に割り当てられた信号点の位相が回転しないような値に設定する。
さらに、ＡＦＣ回路１１は、位相信号θ３を、複素演算回路２−３が受信するベースバンド信号に−１．３ＭＨｚの周波数誤差が含まれている場合に、複素演算の結果、送信側で所定のディジタル信号（０又は１）に割り当てられた信号点の位相が回転しないような値に設定する。
【００７８】
すなわち、ＡＦＣ回路１１は、位相信号θ１を、準同期検波を行うための局部発振信号を生成するローカル発振器（図示せず）の発振周波数よりも高周波である所定の周波数範囲にある中間周波信号（ＢＳ−ＩＦ信号）により伝送されたベースバンド信号を受信してフレーム同期パターン１１０を検出できるような値に設定する。
また、ＡＦＣ回路１１は、位相信号θ２を、ローカル発振器（図示せず）の発振周波数と同一の周波数を含む所定の周波数範囲にある中間周波信号（ＢＳ−ＩＦ信号）により伝送されたベースバンド信号を受信してフレーム同期パターン１１０を検出できるような値に設定する。
さらに、ＡＦＣ回路１１は、位相信号θ３を、ローカル発振器（図示せず）の発振周波数よりも低周波である所定の周波数範囲にある中間周波信号（ＢＳ−ＩＦ信号）により伝送されたベースバンド信号を受信してフレーム同期パターン１１０を検出できるような値に設定する。
【００７９】
数値制御発振器１−１〜１−３は、それぞれＡＦＣ回路１１から位相信号θ１〜θ３を受けて正弦波データｓｉｎθ１〜ｓｉｎθ３及び余弦波データｃｏｓθ１〜ｃｏｓθ３を生成して複素演算回路２−１〜２−３に供給する。
【００８０】
複素演算回路２−１〜２−３は、それぞれ得られたＩ信号ＲＩ１〜ＲＩ３及びＱ信号ＲＱ１〜ＲＱ３を、帯域制限フィルタ３−１〜３−３に入力して帯域を制限し、Ｉ信号ＤＩ１〜ＤＩ３及びＱ信号ＤＱ１〜ＤＱ３とする。
これにより、複素演算回路２−１〜２−３は、ベースバンド信号に含まれる周波数誤差が＋／−２ＭＨｚとなる範囲でフレーム同期パターン１１０を検出することができるように、ベースバンド信号の周波数を変更することができる。従って、ＯＤＵがダウンコンバートする際に生じる周波数誤差が＋／−２ＭＨｚの範囲内であれば、フレーム同期パターン１１０を検出してＲＦチャンネルを捕捉することができる。
【００８１】
帯域制限フィルタ３−１〜３−３から出力されたＩ信号ＤＩ１〜ＤＩ３及びＱ信号ＤＱ１〜ＤＱ３は、それぞれＢＰＳＫデマッパ４−１〜４−３に入力されると共に、セレクタ７に入力される。
【００８２】
セレクタ７は、帯域制限フィルタ３−１〜３−３のうちのいずれか１つから受けたＩ信号ＤＩ１〜ＤＩ３及びＱ信号ＤＱ１〜ＤＱ３を選択して位相誤差検出回路８に送る。
【００８３】
この際、セレクタ７がＩ信号ＤＩ１〜ＤＩ３及びＱ信号ＤＱ１〜ＤＱ３のどれを選択するかは、タイミング生成回路６から受けた選択信号により決定される。
【００８４】
ここで、タイミング生成回路６が選択信号を出力するまでの動作について説明する。
【００８５】
まず、帯域制限フィルタ３−１〜３−３から出力されたＩ信号ＤＩ１〜ＤＩ３及びＱ信号ＤＱ１〜ＤＱ３がそれぞれＢＰＳＫデマッパ４−１〜４−３に入力されると、ＢＰＳＫデマッパ４−１〜４−３は、ＢＰＳＫデマッピング回路２０〜２７により、ディジタル信号を復元する。
【００８６】
この際、ＢＰＳＫデマッピング回路２０〜２７は、送信側のＩ−Ｑベクトル平面をφ＝４５°×ｎ（ｎ＝０〜７の整数）だけ回転させた場合に対応するべくＢＰＳＫ判定基準境界線ＢＬの位相を回転させたＩ−Ｑベクトル平面上で、受信信号点を特定してディジタル信号に変換する。
【００８７】
このようにＢＰＳＫ判定基準境界線ＢＬの位相を回転させた８通りのＩ−Ｑベクトル平面を用いてディジタル信号に変換するのは、以下の理由による。
【００８８】
すなわち、複数の変調方式が時間分割されてフレームごとに繰り返し伝送される階層化伝送方式では、変調方式の多重構成を示す伝送多重構成識別データであるＴＭＣＣデータ１１１は、フレーム同期が確立した後に、フレーム同期パルスによって生成されるタイミングで抽出される。そして、ＴＭＣＣデータ１１１が示す変調方式の多重構成を識別することにより変調方式別の処理が可能となる。
【００８９】
このため、フレーム同期が確立するまでは、８ＰＳＫ復調も行うことから、数値制御発振器１−１〜１−３及びＡＦＣ回路１１により再生されるキャリア（搬送波）の位相状態によっては、フレーム同期パターンを復調する際に、ベースバンド信号の位相がφ＝４５°×ｎ（ｎ＝０〜７の整数）だけ回転する。
【００９０】
例えば、送信側において、図２（ｃ）に示す信号点配置”０”にビット”０”が割り当てられ、信号点配置”４”にビット”１”が割り当てられたものとする。
【００９１】
この場合、ＢＰＳＫデマッパ４−１〜４−３が帯域制限フィルタ３−１〜３−２から受けたＩ信号ＤＩ１〜ＤＩ３及びＱ信号ＤＱ１〜ＤＱ３に基づいて特定するビット”０”及び”１”の信号点は、送信側と同様に図２（ｃ）に示すφ＝０°の信号点配置”０”及び”４”に現れることもある。
しかし、数値制御発振器１−１〜１−３及びＡＦＣ回路１１により再生されるキャリア（搬送波）の位相状態によっては、ビット”０”及び”１”の信号点は、図２（ａ）に示すφ＝４５°だけ位相が回転した信号点配置”１”及び”５”に現れることもある。また、φ＝９０°だけ位相が回転した信号点配置”２”及び”６”に現れることもあり、φ＝１３５°だけ位相が回転した信号点配置”０”及び”４”に現れることもある。
【００９２】
このように、フレーム同期パターン１１０が復調される際の位相はφ＝４５°×ｎ（ｎ＝０〜７の整数）だけ回転することがあり、このような８通りの位相においてフレーム同期パターン１１０が復調されても確実にこれを検出できるようにする必要がある。
【００９３】
従って、ＢＰＳＫデマッパ４−１〜４−３は、それぞれ８つのＢＰＳＫデマッピング回路２０〜２７を備え、ＢＰＳＫ判定基準境界線ＢＬの位相を回転させた８通りのＩ−Ｑベクトル平面を用いてディジタル信号に変換する。
【００９４】
このようなＢＰＳＫデマッパ４−１〜４−３により復元されたディジタル信号のビットストリームＢ０〜Ｂ７は、それぞれフレーム同期パターン検出回路５−１〜５−３に送られる。
【００９５】
フレーム同期パターン検出回路５−１〜５−３は、それぞれ同期検出回路３０〜３７のいずれかがフレーム同期パターン１１０を検出すると、その旨をタイミング生成回路６に通知する。
【００９６】
タイミング生成回路６は、フレーム同期パターン検出回路５−１〜５−３のいずれかからフレーム同期パターン１１０を検出した旨の通知を受けると、フレーム同期パターン検出回路５−１〜５−３のうちのどれがフレーム同期パターン１１０を検出したかを判別し、判別結果に応じた選択信号をセレクタ７に送る。
【００９７】
すなわち、タイミング生成回路６は、フレーム同期パターン検出回路５−１がフレーム同期パターン１１０を検出したと判別すると、セレクタ７に帯域制限フィルタ３−１から出力されたＩ信号ＤＩ１及びＱ信号ＤＱ１を選択させる選択信号を送る。また、タイミング生成回路６は、フレーム同期パターン検出回路５−２がフレーム同期パターン１１０を検出したと判別すると、セレクタ７に帯域制限フィルタ３−２から出力されたＩ信号ＤＩ２及びＱ信号ＤＱ２を選択させる選択信号を送る。一方、タイミング生成回路６は、フレーム同期パターン検出回路５−３がフレーム同期パターン１１０を検出したと判別すると、セレクタ７に帯域制限フィルタ３−３から出力されたＩ信号ＤＩ３及びＱ信号ＤＱ３を選択させる選択信号を送る。
これにより、タイミング生成回路６は、セレクタ７がＩ信号ＤＩ１〜ＤＩ３及びＱ信号ＤＱ１〜ＤＱ３のどれを選択するかを決定するための選択信号を送ることができる。
【００９８】
また、この際、タイミング生成回路６は、フレーム同期パターン検出回路５−１〜５−３からフレーム同期パターン１１０を検出した旨の通知を受けるタイミングによりフレーム同期を確立する。これに基づいて、タイミング生成回路６は、ＴＭＣＣ区間を特定するためのＴＭＣＣ区間信号を生成し、周波数誤差演算回路９に送る。
【００９９】
さらに、この際、タイミング生成回路６は、フレーム同期パターン検出回路５−１〜５−３のうちのいずれがフレーム同期パターン１１０を検出したかを判別した結果に応じた切換信号をＡＦＣ回路１１に送り、ＲＦチャンネルを捕捉するためのキャリア（搬送波）を再生させる。
【０１００】
すなわち、タイミング生成回路６は、フレーム同期パターン検出回路５−１がフレーム同期パターン１１０を検出したと判別すると、ＡＦＣ回路１１に、位相信号θ１により数値制御発振器１−１を制御してキャリア（搬送波）を再生させるための切換信号を送る。また、タイミング生成回路６は、フレーム同期パターン検出回路５−２がフレーム同期パターン１１０を検出したと判別すると、ＡＦＣ回路１１に、位相信号θ２により数値制御発振器１−２を制御してキャリア（搬送波）を再生させるための切換信号を送る。一方、タイミング生成回路６は、フレーム同期パターン検出回路５−３がフレーム同期パターン１１０を検出したと判別すると、ＡＦＣ回路１１に、位相信号θ３により数値制御発振器１−３を制御してキャリア（搬送波）を再生させるための切換信号を送る。
【０１０１】
一方、セレクタ７により選択されたＩ信号ＤＩとＱ信号ＤＱは、位相誤差検出回路８に送られる。
【０１０２】
位相誤差検出回路８は、セレクタ７から受けたＩ信号ＤＩとＱ信号ＤＱに基づいてＩ−Ｑベクトル平面上での信号点位置を特定し、信号点位置が示す位相と絶対位相との位相誤差（受信信号位相回転角）を求める。
【０１０３】
位相誤差検出回路８は、求めた位相誤差に応じた位相誤差信号ＰＥＤを周波数誤差演算回路９とループフィルタ１０に送る。
【０１０４】
周波数誤差演算回路９は、タイミング生成回路６から受けたＴＭＣＣ区間信号によりＴＭＣＣ区間を特定し、位相誤差検出回路８から受けた位相誤差信号ＰＥＤにより示されるＴＭＣＣ区間における位相誤差から、希望周波数と再生キャリアの周波数との差（誤差周波数）Δｆを求める。
【０１０５】
周波数誤差演算回路９は、求めた誤差周波数ΔｆをＡＦＣ回路１１に通知する。
【０１０６】
ループフィルタ１０は、位相誤差検出回路８から受けた位相誤差信号ＰＥＤを平滑化して位相調整信号ＬΔｆとし、ＡＦＣ回路１１に送る。
【０１０７】
ＡＦＣ回路１１は、位相信号θ１〜θ３のうち、タイミング生成回路６から受けた切換信号に従ったものを、周波数誤差演算回路９から通知された誤差周波数Δｆ及びループフィルタ１０から受けた位相調整信号ＬΔｆに応じて調整して数値制御発振器１−１〜１−３のいずれかに供給する。
これにより、複素演算回路２−１〜２−３に入力されるベースバンド信号の同相成分Ｉと直交成分Ｑに含まれるキャリアの周波数誤差を除去するための正弦波データｓｉｎθ１〜ｓｉｎθ３及び余弦波データｃｏｓθ１〜ｃｏｓθ３を生成して希望周波数のチャンネルを捕捉することができる。
【０１０８】
以上説明したように、この発明の第１の実施の形態に係る同期捕捉回路によれば、ベースバンド信号に含まれる周波数誤差が異なる３つの周波数範囲に対応してフレーム同期パターン１１０を検出することができる。従って、ＯＤＵでのダウンコンバートの際に生じる周波数誤差が所定の範囲内（＋／−２ＭＨｚの範囲内）であれば、瞬時にフレーム同期パターン１１０を検出することができる。
これにより、フレーム同期を素早く確立して、ＲＦチャンネルを短時間で捕捉することができる。
【０１０９】
（第２の実施の形態）
次に、この発明の第２の実施の形態に係る同期捕捉回路について説明する。
図８は、この発明の第２の実施の形態に係る同期捕捉回路の構成を示す図である。
図示するように、この同期捕捉回路は、数値制御発振器５０と、複素演算回路５１と、帯域制限フィルタ５２と、ＢＰＳＫデマッパ５３と、フレーム同期パターン検出回路５４−１〜５４−５と、タイミング生成回路５５と、位相誤差検出回路５６と、周波数誤差演算回路５７と、ループフィルタ５８と、ＡＦＣ回路５９とを備えている。
【０１１０】
数値制御発振器５０は、正弦波データｓｉｎθ及び余弦波データｃｏｓθを生成するためのものであり、ＡＦＣ回路５９から受けた位相信号θに応じた正弦波形或いは余弦波形の振幅を示すディジタル信号を生成して複素演算回路５１に送る。
【０１１１】
複素演算回路５１は、反転回路、乗算器等から構成され、量子化されたベースバンド信号の位相誤差、周波数誤差を除去するための演算を実行するためのものである。
具体的には、複素演算回路５１は、位相誤差、周波数誤差を含んだベースバンド信号の同相成分Ｉと直交成分Ｑを受けて、数値制御発振器５０から受けた正弦波データｓｉｎθ及び余弦波データｃｏｓθを用いて、ベースバンド信号の位相を回転させるための演算を実行して、位相誤差、周波数誤差を除去したＩ（同相）信号ＲＩとＱ（直交）信号ＲＱを生成する。
複素演算回路５１は、生成したＩ信号ＲＩとＱ信号ＲＱを帯域制限フィルタ５２に送る。
【０１１２】
帯域制限フィルタ５２は、レイズドコサイン特性のディジタルロールオフフィルタ等から構成され、複素演算回路５１から受けたＩ信号ＲＩとＱ信号ＲＱの通過帯域を制限して、符号間干渉のないデータ波形を生成するためのものである。帯域制限フィルタ５２は、複素演算回路５１から受けたＩ信号ＲＩとＱ信号ＲＱの帯域を制限したＩ信号ＤＩとＱ信号ＤＱを生成してＢＰＳＫデマッパ５３に送る。
また、帯域制限フィルタ５２は、Ｉ信号ＤＩとＱ信号ＤＱを位相誤差検出回路５６にも送る。
【０１１３】
ＢＰＳＫデマッパ５３は、ＢＰＳＫ変調されて伝送される２０シンボルのフレーム同期パターン１１０を検出するため、送信側にて施されるＢＰＳＫマッピングとは逆に、ベースバンド信号の信号点位置からディジタル信号を復元するためのものである。
このＢＰＳＫデマッパ５３は、上記第１の実施の形態に係る同期捕捉回路と同様に、８つのＢＰＳＫデマッピング回路２０〜２７を備えている。
そして、各ＢＰＳＫデマッピング回路２０〜２７は、復元したディジタル信号のビットストリームＢ０〜Ｂ７をフレーム同期パターン検出回路５４−１〜５４−５に送る。
【０１１４】
フレーム同期パターン検出回路５４−１〜５４−５は、ＢＰＳＫデマッパ５３が備える８つのＢＰＳＫデマッピング回路２０〜２７から出力されるビットストリームＢ０〜Ｂ７を受けて、フレーム同期パターン１１０を検出するためのものである。
【０１１５】
各フレーム同期パターン検出回路５４−１〜５４−５は、それぞれベースバンド信号に含まれる周波数誤差の大きさに応じた周波数範囲でフレーム同期パターン１１０を検出するためのものである。
すなわち、例えば、フレーム同期パターン検出回路５４−１は、ベースバンド信号に含まれる周波数誤差が＋２．１ＭＨｚ〜＋１．４ＭＨｚである場合に、フレーム同期パターン１１０を検出する。
【０１１６】
同様に、フレーム同期パターン検出回路５４−２は周波数誤差が＋１．４ＭＨｚ〜＋７００ｋＨｚである場合、フレーム同期パターン検出回路５４−３は周波数誤差が＋７００ｋＨｚ〜−７００ｋＨｚである場合、フレーム同期パターン検出回路５４−４は周波数誤差が−７００ｋＨｚ〜−１．４ＭＨｚである場合、フレーム同期パターン検出回路５４−５は周波数誤差が−１．４ＭＨｚ〜−２．１ＭＨｚである場合に、フレーム同期パターン１１０を検出する。
【０１１７】
フレーム同期パターン検出回路５４−１は、複素演算回路５１が受けたベースバンド信号に＋２．１ＭＨｚ〜＋１．４ＭＨｚの周波数誤差が含まれている場合にフレーム同期パターン１１０を検出するため、図９に示すように、８つの同期検出回路４０−１〜４７−１と、ＯＲゲート４８−１とを備えている。
【０１１８】
ここで、ベースバンド信号に含まれる周波数誤差が＋２．１ＭＨｚ〜＋１．４ＭＨｚである場合に正しくフレーム同期パターン１１０を検出するためには、例えば図１０（ａ）〜（ｅ）に示すように、フレーム同期パターン１１０を示すシンボルを受信している間、すなわち２０シンボルを受信する間に、Ｉ−Ｑベクトル平面上のＢＰＳＫ判定基準境界線ＬＮを４回だけ同一位相方向に回転してあげればよい。
なお、図１０（ａ）〜（ｅ）に示す信号点の位置は、送信側にてビット”１”に対して割り当てられたものを示している。
【０１１９】
そこで、フレーム同期パターン検出回路５４−１が備える同期検出回路４０−１〜４７−１は、それぞれ、ＢＰＳＫデマッパ５３が備える８つのＢＰＳＫデマッピング回路２０〜２７から受ける８通りのビットストリームＢ０〜Ｂ７のうちの４つを用いてフレーム同期パターン１１０を検出する。
【０１２０】
例えば、図１０（ａ）〜（ｅ）に示したような順でＢＰＳＫ判定基準境界線ＬＮを回転させたＩ−Ｑベクトル平面を用いて変換されたディジタル信号からフレーム同期パターン１１０を検出する回路が同期検出回路４０−１であるとする。
【０１２１】
この場合、同期検出回路４０−１は、図１１に示すように、６つのＡＮＤゲートＡ１０−１〜Ａ１５−１を備え、ビットストリームごとに直列に接続された遅延ラッチＤ０〜Ｄ１９を備えている。
【０１２２】
この同期検出回路４０−１は、図４（ｃ）に示すＩ−Ｑベクトル平面を用いてデマッピングするＢＰＳＫデマッピング回路２２から受けたビットストリームＢ２を遅延ラッチＤ０〜Ｄ１９により遅延させる。そして、ＡＮＤゲートＡ１０−１は、遅延ラッチＤ０〜Ｄ３の状態（Ｄ３Ｄ２Ｄ１Ｄ０）が（１０００）となる場合に高電圧を出力する。また、ＡＮＤゲートＡ１１−１は、遅延ラッチＤ１６〜Ｄ１９の状態（Ｄ１９Ｄ１８Ｄ１７Ｄ１６）が（１１１０）となる場合に高電圧を出力する。
【０１２３】
また、同期検出回路４０−１は、図４（ｅ）に示すＩ−Ｑベクトル平面を用いてデマッピングするＢＰＳＫデマッピング回路２４から受けたビットストリームＢ４を遅延ラッチＤ０〜Ｄ１５により遅延させる。そして、ＡＮＤゲートＡ１２−１は、遅延ラッチＤ１２〜Ｄ１５の状態（Ｄ１５Ｄ１４Ｄ１３Ｄ１２）が（１１００）となる場合に高電圧を出力する。
【０１２４】
また、同期検出回路４０−１は、図４（ｇ）に示すＩ−Ｑベクトル平面を用いてデマッピングするＢＰＳＫデマッピング回路２６から受けたビットストリームＢ６を遅延ラッチＤ０〜Ｄ１１により遅延させる。そして、ＡＮＤゲートＡ１３−１は、遅延ラッチＤ８〜Ｄ１１の状態（Ｄ１１Ｄ１０Ｄ９Ｄ８）が（１１０１）となる場合に高電圧を出力する。
【０１２５】
また、同期検出回路４０−１は、図４（ａ）に示すＩ−Ｑベクトル平面を用いてデマッピングするＢＰＳＫデマッピング回路２０から受けたビットストリームＢ０を遅延ラッチＤ０〜Ｄ７により遅延させる。そして、ＡＮＤゲートＡ１４−１は、遅延ラッチＤ４〜Ｄ７の状態（Ｄ７Ｄ６Ｄ５Ｄ４）が（００１０）となる場合に高電圧を出力する。
【０１２６】
ＡＮＤゲートＡ１５−１は、ＡＮＤゲートＡ１０−１〜Ａ１４−１がいずれも高電圧を出力する場合に、高電圧を出力する。これにより、同期検出回路４０−１は、フレーム同期パターン１１０を検出したとして、ＯＲゲート４８−１を介してタイミング生成回路５５に通知する。
【０１２７】
図９の同期検出回路４１−１〜４７−１も、それぞれ同期検出回路４０−１と同様に、ＢＰＳＫデマッパ５３が備える８つのＢＰＳＫデマッピング回路２０〜２７から受けるビットストリームＢ０〜Ｂ７のうちの４つを用いてフレーム同期パターン１１０を検出できるように構成される。
ここで、同期検出回路４０−１〜４７−１は、それぞれフレーム同期パターン１１０の第１ビットを受信する時点での受信信号位相回転角が４５°×ｎ（ｎ＝０〜７の整数）だけ異なる場合に対応できるように適宜検出回路を構成する。
なお、同期検出回路４０−１〜４７−１は、ビットストリームＢ０〜Ｂ７をビットストリーム毎に遅延させる遅延ラッチＤ０〜Ｄ１９を共有することができ、論理積を求める遅延ラッチＤ０〜Ｄ１９の状態に応じた配線を行えばよい。
【０１２８】
図８のフレーム同期パターン検出回路５４−２は、複素演算回路５１が受けたベースバンド信号に＋１．４ＭＨｚ〜＋７００ｋＨｚの周波数誤差が含まれている場合にフレーム同期パターン１１０を検出するため、図１２に示すように、８つの同期検出回路４０−２〜４７−２と、ＯＲゲート４８−２とを備えている。
【０１２９】
ここで、ベースバンド信号に含まれる周波数誤差が＋１．４ＭＨｚ〜＋７００ｋＨｚである場合に正しくフレーム同期パターン１１０を検出するためには、例えば図１３（ａ）〜（ｃ）に示すように、フレーム同期パターン１１０を示すシンボルを受信している間、すなわち２０シンボルを受信する間に、Ｉ−Ｑベクトル平面上のＢＰＳＫ判定基準境界線ＬＮを２回だけ同一位相方向に回転してあげればよい。
なお、図１３（ａ）〜（ｃ）に示す信号点の位置は、送信側にてビット”１”に対して割り当てられたものを示している。
【０１３０】
そこで、フレーム同期パターン検出回路５４−２が備える同期検出回路４０−２〜４７−２は、それぞれ、ＢＰＳＫデマッパ５３が備える８つのＢＰＳＫデマッピング回路２０〜２７から受ける８通りのビットストリームＢ０〜Ｂ７のうちの３つを用いてフレーム同期パターン１１０を検出する。
【０１３１】
例えば、図１３（ａ）〜（ｃ）に示したような順でＢＰＳＫ判定基準境界線ＬＮを回転させたＩ−Ｑベクトル平面を用いて変換されたディジタル信号からフレーム同期パターン１１０を検出する回路が同期検出回路４０−２であるとする。この場合、同期検出回路４０−２は、図１４に示すように、４つのゲートＡ１０−２〜Ａ１３−２を備え、ビットストリームごとに直列に接続された遅延ラッチＤ０〜Ｄ１９を備えている。
【０１３２】
この同期検出回路４０−２は、図４（ｃ）に示すＩ−Ｑベクトル平面を用いてデマッピングするＢＰＳＫデマッピング回路２２から受けたビットストリームＢ２を遅延ラッチＤ０〜Ｄ１９により遅延させる。そして、ＡＮＤゲートＡ１０−２は、遅延ラッチＤ１３〜Ｄ１９の状態（Ｄ１９Ｄ１８Ｄ１７Ｄ１６Ｄ１５Ｄ１４Ｄ１３）が（１１１０１１０）となる場合に高電圧を出力する。
【０１３３】
また、同期検出回路４０−２は、図４（ｅ）に示すＩ−Ｑベクトル平面を用いてデマッピングするＢＰＳＫデマッピング回路２４から受けたビットストリームＢ４を遅延ラッチＤ０〜Ｄ１２により遅延させる。そして、ＡＮＤゲートＡ１１−２は、遅延ラッチＤ７〜Ｄ１２の状態（Ｄ１２Ｄ１１Ｄ１０Ｄ９Ｄ８Ｄ７）が（０１１０１０）となる場合に高電圧を出力する。
【０１３４】
また、同期検出回路４０−２は、図４（ｇ）に示すＩ−Ｑベクトル平面を用いてデマッピングするＢＰＳＫデマッピング回路２６から受けたビットストリームＢ６を遅延ラッチＤ０〜Ｄ６により遅延させる。そして、ＡＮＤゲートＡ１２−２は、遅延ラッチＤ０〜Ｄ６の状態（Ｄ６Ｄ５Ｄ４Ｄ３Ｄ２Ｄ１Ｄ０）が（０１０１０００）となる場合に高電圧を出力する。
【０１３５】
ＡＮＤゲートＡ１３−２は、ＡＮＤゲートＡ１０−２〜Ａ１２−２がいずれも高電圧を出力する場合に、高電圧を出力する。これにより、同期検出回路４０−２は、フレーム同期パターン１１０を検出したとして、ＯＲゲート４８−２を介してタイミング生成回路５５に通知する。
【０１３６】
図１２の同期検出回路４１−２〜４７−２も、それぞれ同期検出回路４０−２と同様に、ＢＰＳＫデマッパ５３が備える８つのＢＰＳＫデマッピング回路２０〜２７から受けるビットストリームＢ０〜Ｂ７のうちの３つを用いてフレーム同期パターン１１０を検出できるように構成される。
ここで、同期検出回路４０−２〜４７−２は、それぞれフレーム同期パターン１１０の第１ビットを受信する時点での受信信号位相回転角が４５°×ｎ（ｎ＝０〜７の整数）だけ異なる場合に対応できるように適宜検出回路を構成する。
なお、同期検出回路４０−２〜４７−２は、ビットストリームＢ０〜Ｂ７をビットストリーム毎に遅延させる遅延ラッチＤ０〜Ｄ１９を共有することができ、論理積を求める遅延ラッチＤ０〜Ｄ１９の状態に応じた配線を行えばよい。
【０１３７】
図８のフレーム同期パターン検出回路５４−３は、複素演算回路５１が受けたベースバンド信号に＋７００ｋＨｚ〜−７００ｋＨｚの周波数誤差が含まれている場合にフレーム同期パターン１１０を検出するためのものであり、上記第１の実施の形態におけるフレーム同期パターン検出回路５−１〜５−３のいずれか１つと同一の構成を有している。
【０１３８】
フレーム同期パターン検出回路５４−４は、複素演算回路５１が受けたベースバンド信号に−７００ｋＨｚ〜−１．４ＭＨｚの周波数誤差が含まれている場合にフレーム同期パターン１１０を検出するためのものである。このフレーム同期パターン検出回路５４−４は、フレーム同期パターン１１０を示すシンボルを受信する間に、フレーム同期パターン検出回路５４−２とは逆の位相方向にＢＰＳＫ判定基準境界線ＬＮを２回だけ回転してディジタル信号を復元するように構成される。
【０１３９】
フレーム同期パターン検出回路５４−５は、複素演算回路５１が受けたベースバンド信号に−１．４ＭＨｚ〜−２．１ＭＨｚの周波数誤差が含まれている場合にフレーム同期パターン１１０を検出するためのものである。このフレーム同期パターン検出回路５４−５は、フレーム同期パターン１１０を示すシンボルを受信する間に、フレーム同期パターン検出回路５４−１とは逆の位相方向にＢＰＳＫ判定基準境界線ＬＮを４回だけ回転してディジタル信号を復元するように構成される。
【０１４０】
タイミング生成回路５５は、フレーム同期パターン検出回路５４−１〜５４−５からフレーム同期パターン１１０を検出した旨の通知を受けるタイミングによりフレーム同期を確立するためのものである。
また、タイミング生成回路５５は、フレーム同期を確立すると、ＴＭＣＣデータ１１１を抽出してフレーム多重構成を識別し、周波数誤差演算回路５７にＴＭＣＣ区間を特定するためのＴＭＣＣ区間信号を送る。
【０１４１】
さらに、タイミング生成回路５５は、フレーム同期パターン検出回路５４−１〜５４−５のいずれかからフレーム同期パターン１１０を検出した旨の通知を受けると、フレーム同期パターン検出回路５４−１〜５４−５のうちのどれがフレーム同期パターン１１０を検出したかを判別する。そして、タイミング生成回路５５は、この判別結果に基づいて、ＡＦＣ回路５９にＲＦチャンネルを捕捉するためのオフセット周波数を通知する。
【０１４２】
位相誤差検出回路５６は、帯域制限フィルタ５２から受けたＩ信号ＤＩとＱ信号ＤＱに基づいてＩ−Ｑベクトル平面上での信号点位置を特定して、信号点位置が示す位相と絶対位相との位相誤差（受信信号位相回転角）を求めるためのものである。
位相誤差検出回路５６は、求めた位相誤差に応じた位相誤差信号ＰＥＤを生成して周波数誤差演算回路５７とループフィルタ５８に送る。
【０１４３】
周波数誤差演算回路５７は、タイミング生成回路５５から受けたＴＭＣＣ区間信号によりＴＭＣＣ区間を特定して、位相誤差検出回路５６から受けた位相誤差信号ＰＥＤに示されたＴＭＣＣ区間における位相誤差に基づき希望周波数と再生キャリアの周波数との差（誤差周波数）Δｆを求めるためのものである。
周波数誤差演算回路５７は、求めた誤差周波数ΔｆをＡＦＣ回路５９に通知する。
【０１４４】
ループフィルタ５８は、位相誤差検出回路５６から受けた位相誤差信号ＰＥＤを平滑化するローパスフィルタであり、平滑化した位相誤差信号ＰＥＤを位相調整信号ＬΔｆとしてＡＦＣ回路５９に供給する。
【０１４５】
ＡＦＣ回路５９は、周波数誤差演算回路５７から受けた誤差周波数Δｆ及びループフィルタ１０から受けた位相調整信号ＬΔｆに応じた位相信号θを生成してキャリア（搬送波）を再生するためのものである。
また、ＡＦＣ回路５９は、タイミング生成回路５５から通知されたオフセット周波数に応じた位相信号θにより数値制御発振器５０を制御して、フレーム同期パターン検出回路５４−３がフレーム同期パターン１１０を検出できるような正弦波データｓｉｎθ及び余弦波データｃｏｓθを生成させる。
【０１４６】
次に、この発明の第２の実施の形態に係る同期捕捉回路の動作について説明する。
【０１４７】
この発明の第２の実施の形態に係る同期捕捉回路において、数値制御発振器５０と、複素演算回路５１と、帯域制限フィルタ５２と、位相誤差検出回路５６と、周波数誤差演算回路５７と、ループフィルタ５８と、ＡＦＣ回路５９は、複素演算回路５１に入力されるベースバンド信号の同相成分Ｉと直交成分Ｑに含まれるキャリア（搬送波）の周波数誤差を除去するためのキャリア再生のループを構成している。
【０１４８】
ここで、数値制御発振器５０と、複素演算回路５１と、帯域制限フィルタ５２は、それぞれ上記第１の実施の形態の同期捕捉回路における数値制御発振器１−１〜１−３と、複素演算回路２−１〜２−３と、帯域制限フィルタ３−１〜３−３と同様に動作する。
【０１４９】
この際、ＡＦＣ回路５９は、位相信号θを、複素演算回路５１が受けるベースバンド信号に周波数誤差が含まれていない場合（周波数誤差が０Ｈｚの場合）に、複素演算の結果、送信側で所定のディジタル信号（０又は１）に割り当てられた信号点の位相が受信側で回転しないような値に設定する。
【０１５０】
帯域制限フィルタ５２から出力されたＩ信号ＤＩ及びＱ信号ＤＱは、ＢＰＳＫデマッパ５３と、位相誤差検出回路５６に入力される。
【０１５１】
ＢＰＳＫデマッパ５３は、ＢＰＳＫデマッピング回路２０〜２７により、ディジタル信号を復元して、フレーム同期パターン検出回路５４−１〜５４−５に送る。
【０１５２】
フレーム同期パターン検出回路５４−１〜５４−５は、それぞれ、ベースバンド信号に含まれる周波数誤差の異なる範囲に対応して、フレーム同期パターン１１０を検出する。
【０１５３】
すなわち、フレーム同期パターン検出回路５４−１は、複素演算回路５１が受けるベースバンド信号に含まれる周波数誤差が＋２．１ＭＨｚ〜＋１．４ＭＨｚである場合に、フレーム同期パターン１１０を検出する。
【０１５４】
同様に、フレーム同期パターン検出回路５４−２は周波数誤差が＋１．４ＭＨｚ〜＋７００ｋＨｚである場合、フレーム同期パターン検出回路５４−３は周波数誤差が＋７００ｋＨｚ〜−７００ｋＨｚである場合、フレーム同期パターン検出回路５４−４は周波数誤差が−７００ｋＨｚ〜−１．４ＭＨｚである場合、フレーム同期パターン検出回路５４−５は周波数誤差が−１．４ＭＨｚ〜−２．１ＭＨｚである場合にフレーム同期パターン１１０を検出する。
【０１５５】
これにより、フレーム同期パターン検出回路５４−３は、ＲＦチャンネルに割り当てられる帯域の中心周波数が、ＯＤＵ（図示せず）によるダウンコンバートの際、ローカル発振器（図示せず）の発振周波数を含む所定の周波数範囲内にある中間周波信号（ＢＳ−ＩＦ信号）の周波数に対応するように変換された場合に、フレーム同期パターン１１０を検出することができる。
また、フレーム同期パターン検出回路５４−２は、ＲＦチャンネルに割り当てられる帯域の中心周波数が、ＯＤＵ（図示せず）によるダウンコンバートの際、フレーム同期パターン検出回路５４−３がフレーム同期パターン１１０を検出可能な周波数範囲よりも高周波の周波数範囲内にある中間周波信号（ＢＳ−ＩＦ信号）の周波数に対応するように変換された場合に、フレーム同期パターン１１０を検出することができる。
さらに、フレーム同期パターン検出回路５４−１は、ＲＦチャンネルに割り当てられる帯域の中心周波数が、ＯＤＵ（図示せず）によるダウンコンバートの際、フレーム同期パターン検出回路５４−２がフレーム同期パターン１１０を検出可能な周波数範囲よりも、より高周波の周波数範囲内にある中間周波信号（ＢＳ−ＩＦ信号）の周波数に対応するように変換された場合に、フレーム同期パターン１１０を検出することができる。
【０１５６】
また、フレーム同期パターン検出回路５４−４は、ＲＦチャンネルに割り当てられる帯域の中心周波数が、ＯＤＵ（図示せず）によるダウンコンバートの際、フレーム同期パターン検出回路５４−３がフレーム同期パターン１１０を検出可能な周波数範囲よりも低周波の周波数範囲内にある中間周波信号（ＢＳ−ＩＦ信号）の周波数に対応するように変換された場合に、フレーム同期パターン１１０を検出することができる。
さらに、フレーム同期パターン検出回路５４−５は、ＲＦチャンネルに割り当てられる帯域の中心周波数が、ＯＤＵ（図示せず）によるダウンコンバートの際、フレーム同期パターン検出回路５４−４がフレーム同期パターン１１０を検出可能な周波数範囲よりも、より低周波の周波数範囲内にある中間周波信号（ＢＳ−ＩＦ信号）の周波数に対応するように変換された場合に、フレーム同期パターン１１０を検出することができる。
【０１５７】
フレーム同期パターン検出回路５４−１〜５４−５は、フレーム同期パターン１１０を検出すると、その旨をタイミング生成回路５５に通知する。
【０１５８】
タイミング生成回路５５は、フレーム同期パターン検出回路５４−１〜５４−５のいずれかからフレーム同期パターン１１０を検出した旨の通知を受けると、この通知によりフレーム同期を確立し、ＴＭＣＣ区間を特定するためのＴＭＣＣ区間信号を生成して周波数誤差演算回路５７に送る。
【０１５９】
また、この際、タイミング生成回路５５は、フレーム同期パターン検出回路５４−１〜５４−５のうちのどれがフレーム同期パターン１１０を検出したかを判別し、判別結果に基づいて、ＡＦＣ回路５９にＲＦチャンネルを捕捉するためのオフセット周波数を通知する。
【０１６０】
より具体的には、タイミング生成回路５５は、フレーム同期パターン検出回路５４−１がフレーム同期パターン１１０を検出したと判別すると、オフセット周波数として＋１．７５ＭＨｚをＡＦＣ回路５９に通知する。
【０１６１】
一方、タイミング生成回路５５は、フレーム同期パターン検出回路５４−２がフレーム同期パターン１１０を検出したと判別すると、オフセット周波数として＋１．０５ＭＨｚをＡＦＣ回路５９に通知する。
【０１６２】
また一方、タイミング生成回路５５は、フレーム同期パターン検出回路５４−３がフレーム同期パターン１１０を検出したと判別すると、オフセット周波数として０ＭＨｚをＡＦＣ回路５９に通知する。
【０１６３】
さらに一方、タイミング生成回路５５は、フレーム同期パターン検出回路５４−４がフレーム同期パターン１１０を検出したと判別すると、オフセット周波数として−１．０５ＭＨｚをＡＦＣ回路５９に通知する。
【０１６４】
一方、タイミング生成回路５５は、フレーム同期パターン検出回路５４−５がフレーム同期パターン１１０を検出したと判別すると、オフセット周波数として−１．７５ＭＨｚをＡＦＣ回路５９に通知する。
【０１６５】
ＡＦＣ回路５９は、タイミング生成回路５５から通知されたオフセット周波数に応じた位相信号θにより数値制御発振器５０を制御して、正弦波データｓｉｎθ及び余弦波データｃｏｓθを生成させる。
【０１６６】
このようにして、オフセット周波数に応じた位相信号θにより規定される正弦波データｓｉｎθ及び余弦波データｃｏｓθを用いて、複素演算回路５１がベースバンド信号の同相成分Ｉ及び直交成分Ｑに含まれる周波数誤差を除去する。
これにより、捕捉しようとするＲＦチャンネルの周波数誤差が＋／−７００ｋＨｚの範囲外であった場合には、周波数誤差が＋／−３５０ｋＨｚの範囲内となる。
【０１６７】
従って、フレーム同期パターン検出回路５４−１〜５４−５のいずれかでフレーム同期パターン１１０が検出されると、フレーム同期パターン検出回路５４−３でフレーム同期パターンを検出できるように複素演算回路５１がベースバンド信号の周波数を変更する。
フレーム同期パターン検出回路５４−３は、カバーする帯域の幅が１．４ＭＨｚと広いので、安定してＲＦチャンネルを捕捉することができる。
【０１６８】
この後、位相誤差検出回路５６は、帯域制限フィルタ５２から受けたＩ信号ＤＩとＱ信号ＤＱに基づいてＩ−Ｑベクトル平面上での信号点位置を特定し、信号点位置が示す位相と絶対位相との位相誤差（受信信号位相回転角）を求める。
【０１６９】
位相誤差検出回路５６は、求めた位相誤差に応じた位相誤差信号ＰＥＤを生成して周波数誤差演算回路５７と、ループフィルタ５８に送る。
【０１７０】
周波数誤差演算回路５７は、タイミング生成回路５５から受けたＴＭＣＣ区間信号によりＴＭＣＣ区間を特定し、位相誤差検出回路５６から受けた位相誤差信号ＰＥＤに示されたＴＭＣＣ区間における位相誤差に基づき希望周波数と再生キャリアの周波数との差（誤差周波数）Δｆを求める。
【０１７１】
周波数誤差演算回路５７は、求めた誤差周波数ΔｆをＡＦＣ回路５９に通知する。
【０１７２】
ループフィルタ５８は、位相誤差検出回路５６から受けた位相誤差信号ＰＥＤを平滑化して位相調整信号ＬΔｆとし、ＡＦＣ回路５９に送る。
【０１７３】
ＡＦＣ回路５９は、周波数誤差演算回路５７から通知された誤差周波数Δｆ及びループフィルタ５８から受けた位相調整信号ＬΔｆに応じて位相信号θの値を調整し、数値制御発振器５０を制御してキャリア（搬送波）を再生する。
これにより、複素演算回路５１に入力されるベースバンド信号の同相成分Ｉと直交成分Ｑに含まれるキャリアの周波数誤差を除去するための正弦波データｓｉｎθ及び余弦波データｃｏｓθを生成して希望周波数のチャンネルを捕捉することができる。
【０１７４】
以上説明したように、この発明の第２の実施の形態に係る同期捕捉回路によれば、ベースバンド信号に含まれる周波数誤差が異なる５つの周波数範囲に対応してフレーム同期パターン１１０を検出するフレーム同期パターン検出回路５４−１〜５４−５を備え、ベースバンド信号に大きな周波数誤差が含まれる場合であっても瞬時にフレーム同期パターンを検出することができる。従って、ＯＤＵでのダウンコンバートの際に生じる周波数誤差が所定の範囲内（＋／−２ＭＨｚの範囲内）であれば、瞬時にフレーム同期パターン１１０を検出することができる。
【０１７５】
そして、フレーム同期パターン検出回路５４−１〜５４−５のいずれかがフレーム同期パターン１１０を検出すると、広い周波数誤差の範囲でフレーム同期パターンを検出できるフレーム同期パターン検出回路５４−３にてフレーム同期を確立するようにオフセット周波数を設定する。
これにより、フレーム同期を素早く確立して、ＲＦチャンネルを短時間で捕捉することができると共に、安定したＲＦチャンネルの捕捉が可能となる。
【０１７６】
なお、この発明は、ＢＳディジタル放送を受信する場合に限定されず、周波数誤差を含んだベースバンド信号を受信してフレーム同期を確立するための任意の受信装置に適用が可能である。
【０１７７】
【発明の効果】
以上の説明のように、この発明は、ベースバンド信号に含まれる周波数誤差が異なる場合に対応してフレーム同期パターンを検出し、素早くフレーム同期を確立することができ、短時間でＲＦチャンネルを捕捉することができる。
【図面の簡単な説明】
【図１】階層化伝送方式のフレーム構成の一例を示す図である。
【図２】送信側における各変調方式ごとのマッピングを示す模式図である。
【図３】この発明の第１の実施の形態に係る同期捕捉回路の構成を示す図である。
【図４】ＢＰＳＫデマッパがディジタル信号を復元する際に用いるＩ−Ｑベクトル平面を示す図である。
【図５】ＢＰＳＫデマッパの構成を示す図である。
【図６】フレーム同期パターン検出回路の構成を示す図である。
【図７】同期検出回路の構成を示す図である。
【図８】この発明の第２の実施の形態に係る同期捕捉回路の構成を示す図である。
【図９】フレーム同期パターン検出回路の構成を示す図である。
【図１０】同期検出回路がフレーム同期パターンを検出するための信号点配置を説明するための図である。
【図１１】同期検出回路の構成を示す図である。
【図１２】フレーム同期パターン検出回路の構成を示す図である。
【図１３】同期検出回路がフレーム同期パターンを検出するための信号点配置を説明するための図である。
【図１４】同期検出回路の構成を示す図である。
【図１５】従来の同期捕捉回路の構成を示す図である。
【図１６】ＢＰＳＫデマッパが用いるＩ−Ｑベクトル平面を示す図である。
【図１７】周波数誤差による信号点の移動について説明するための図である。
【符号の説明】
１−１〜１−３、５０、７０    数値制御発振器
２−１〜２−３、５１、７１    複素演算回路
３−１〜３−３、５２、７２    帯域制限フィルタ
４−１〜４−３、５３、７３    ＢＰＳＫデマッパ
５−１〜５−３、５４−１〜５４−５、７４    フレーム同期パターン検出回路
６、５５、７５    タイミング生成回路
７    セレクタ
８、５６、７６    位相誤差検出回路
９、５７、７７    周波数誤差演算回路
１０、５８、７８    ループフィルタ
１１、５９、７９    ＡＦＣ回路
２０〜２７    ＢＰＳＫデマッピング回路
３０〜３７、４０−１〜４７−１、４０−２〜４７−２    同期検出回路
３８、４８−１、４８−２    ＯＲゲート
１００    ヘッダ部
１０１    主信号部
１０２    バーストシンボル部
１１０    フレーム同期パターン
１１１    ＴＭＣＣデータ
１１２    スーパーフレーム識別パターン
Ａ１、Ａ１０−１〜Ａ１５−１、Ａ１０−２〜Ａ１３−２    ＡＮＤゲート
Ｂ０〜Ｂ７    ビットストリーム
ＰＥＤ    位相誤差信号
Δｆ    誤差周波数
ＬΔｆ    位相調整信号
ＩＮ    インバータ
ＬＮ    ＢＰＳＫ判定基準境界線
ｓｉｎθ、ｓｉｎθ１〜ｓｉｎθ３    正弦波データ
ｃｏｓθ、ｃｏｓθ１〜ｃｏｓθ３    余弦波データ
θ、θ１〜θ３    位相信号
【図１】
0003626047.tif 000002
【図２】
0003626047.tif 000003
【図３】
0003626047.tif 000004
【図４】
0003626047.tif 000005
【図５】
0003626047.tif 000006
【図６】
0003626047.tif 000007
【図７】
0003626047.tif 000008
【図８】
0003626047.tif 000009
【図９】
0003626047.tif 000010
【図１０】
0003626047.tif 000011
【図１１】
0003626047.tif 000012
【図１２】
0003626047.tif 000013
【図１３】
0003626047.tif 000014
【図１４】
0003626047.tif 000015
【図１５】
0003626047.tif 000016
【図１６】
0003626047.tif 000017
【図１７】
0003626047.tif 000018